Podtech/llm-jp-corpus-v4-ja_patent huggingface dataset:
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
ＰＤＥ１１Ａ阻害剤を有効成分として含有することを特徴とする、糖尿病、若年発症の成人型糖尿病（ＭＯＤＹ）、成人の潜在性自己免疫糖尿病（ｌａｔｅｎｔ  ａｕｔｏｉｍｍｕｎｅ  ｄｉａｂｅｔｅｓ  ａｄｕｌｔ）（ＬＡＤＡ）、耐糖能障害（ｉｍｐａｉｒｅｄｇｌｕｃｏｓｅ  ｔｏｌｅｒａｎｃｅ）（ＩＧＴ）、空腹時糖障害（ｉｍｐａｉｒｅｄ  ｆａｓｔｉｎｇ  ｇｌｕｃｏｓｅ）（ＩＦＧ）、妊娠性糖尿病及び代謝性シンドロームＸよりなる群から選ばれる疾患又は状態の処置又は予防のための薬剤。
【請求項２】
糖尿病が２型糖尿病である請求項１の薬剤。
【請求項３】
ＰＰＡＲ−アゴニスト、インスリン感作物質、スルホニルウレア、インスリン分泌促進薬、肝臓グルコース排出量低下化合物、α−グルコシダーゼ阻害剤又はインスリンを該ＰＤＥ１１Ａ阻害剤と組み合わせて投与される請求項１の薬剤。
【請求項４】
該ＰＰＡＲ−アゴニストがロシグリタゾン（ｒｏｓｉｇｌｉｔａｚｏｎｅ）及びピオグリタゾン（ｐｉｏｇｌｉｔａｚｏｎｅ）から選ばれる請求項３の薬剤。
【請求項５】
該スルホニルウレアがグリベンクラミド（ｇｌｉｂｅｎｃｌａｍｉｄｅ）、グリメピリド（ｇｌｉｍｅｐｉｒｉｄｅ）、クロルプロパミド（ｃｈｌｏｒｐｒｏｐａｍｉｄｅ）及びグリピジド（ｇｌｉｐｉｚｉｄｅ）から選ばれる請求項３の薬剤。
【請求項６】
該インスリン分泌促進薬がＧＬＰ−１、ＧＩＰ、ＰＡＣ／ＶＰＡＣレセプターアゴニスト、セクレチン、ナテグリニド（ｎａｔｅｇｌｉｎｉｄｅ）、メグリチニド（ｍｅｇｌｉｔｉｎｉｄｅ）、レパグリニド（ｒｅｐａｇｌｉｎｉｄｅ）、グリベンクラミド、グリメピリド、クロルプロパミド及びグリピジドから選ばれる請求項３の薬剤。
【請求項７】
該α−グルコシダーゼ阻害剤がアカルボース、ミグリトール及びボグリボースから選ばれる請求項３の薬剤。
【請求項８】
該肝臓グルコース排出量低下化合物がメツフォルミン（ｍｅｔｆｏｒｍｉｎ）である請求項３の薬剤。
【請求項９】
ＨＭＧ−ＣｏＡレダクターゼ阻害剤、ニコチン酸、胆汁酸封鎖剤（ｂｉｌｅ  ａｃｉｄ  ｓｅｑｕｅｓｔｒａｎｔ）、フィブリン酸誘導体、血圧降下薬又は抗−肥満薬を該ＰＤＥ１１Ａ阻害剤と組み合わせて投与される請求項１の薬剤。
【請求項１０】
該抗−肥満薬がβ−３アゴニスト、ＣＢ−１アンタゴニスト及びリパーゼ阻害剤から選ばれる請求項９の薬剤。
【請求項１１】
ＰＤＥ１１Ａ阻害剤を有効成分として含有することを特徴とする、グルココルチコイド過剰、成長ホルモン過剰、褐色細胞腫及び薬剤−誘導糖尿病から選ばれる糖尿病の二次的原因を処置もしくは予防するための薬剤。
【請求項１２】
ＰＤＥ１１Ａ阻害剤を有効成分として含有することを特徴とする、インスリン分泌促進薬への膵臓ベータ細胞の感受性を向上させるための薬剤。
【請求項１３】
該インスリン分泌促進薬がＧＬＰ−１、ＧＩＰ、ＰＡＣ／ＶＰＡＣレセプターアゴニスト、セクレチン、ナテグリニド、メグリチニド、レパグリニド、グリベンクラミド、グリメピリド、クロルプロパミド及びグリピジドから選ばれる請求項１２の薬剤。
【請求項１４】
ＰＤＥ１１Ａ阻害剤を有効成分として含有することを特徴とする痴呆の処置もしくは予防のための薬剤。
【請求項１５】
ＰＤＥ１１Ａ阻害剤を有効成分として含有することを特徴とする、高血圧、虚血性心疾患、心筋梗塞、安定及び不安定狭心症、末梢閉塞疾患及び虚血性発作から選ばれる心臓血管障害の処置もしくは予防のための薬剤。
【請求項１６】
ＰＤＥ１１Ａ阻害剤を有効成分として含有することを特徴とする、失禁、ストレス失禁、良性前立腺過形成、勃起機能障害、女性性機能障害及び前立腺肥大から選ばれる尿生殖路障害の処置もしくは予防のための薬剤。
【請求項１７】
該女性性機能障害が女性性覚醒障害（ｆｅｍａｌｅ  ｓｅｘｕａｌ  ａｒｏｕｓａｌ  ｄｉｓｏｒｄｅｒ）である請求項１６の薬剤。
【手続補正書】
【提出日】平成18年3月14日(2006.3.14)
【手続補正１】
【補正対象書類名】明細書
【補正対象項目名】００１４
【補正方法】変更
【補正の内容】
【００１４】
少なくとも５個の炭素原子を有する脂肪族ラジカルＲ１０は、好ましくは、２２個以下の炭素原子、一般的には、１０個以下の炭素原子を有し、そして該置換、または好ましくは、非置換脂肪族炭化水素ラジカル（すなわち、該置換、または好ましくは、非置換アルキニル、アルケニル、または好ましくは、Ｃ５−Ｃ７アルキルの様なアルキルラジカル（例えば、ｎ−ペンチル））である。芳香族ラジカルＲ１０は、２０個以下の炭素原子を有し、そして非置換または置換、例えば、それぞれの場合、特に２−ナフチルの様な非置換または置換ナフチル、または好ましくは、フェニルである（置換基は、シアノ、非置換、またはヒドロキシ−、アミノ−、または４−メチル−ピペラジニル−置換低級アルキル、好ましくは、特にメチル、トリフルオロメチル、遊離、エーテル化、またはエステル化ヒドロキシ、遊離、アルキル化、またはアシル化アミノ、および遊離、またはエステル化カルボキシから選択される）。芳香族−脂肪族ラジカルＲ１０において、芳香族部分は、上で定義されたものであり、そして脂肪族部分は、好ましくは、特にＣ１−Ｃ２アルキルの様な低級アルキルであり、これは置換されているか、または好ましくは、非置換である（例えば、ベンジル）。脂環式ラジカルＲ１０は、特に３０個以下、より具体的には２０個以下、そして最も具体的には、１０個以下の炭素原子を有し、モノ−またはポリ−環式であり、かつ置換されているか、または好ましくは、非置換である（例えば、好ましくは、シクロヘキシルの様な該シクロアルキルラジカル、特に、該５または６員のシクロアルキルラジカル）。脂環式−脂肪族ラジカルＲ１０において、脂環式部分は、上で定義されたものであり、そして脂肪族部分は、好ましくは、特にＣ１−Ｃ２アルキルの様な低級アルキルであり、これは、置換されているか、または好ましくは、非置換である。複素環式ラジカルＲ１０は、特に２０個以下の炭素原子を含有し、そして好ましくは、５または６員環、および好ましくは、窒素、酸素、および硫黄から選択される１〜３個のヘテロ原子を有する飽和または不飽和単環式ラジカル、特に、例えば、チエニル、または２−、３−、または４−ピリジル、またはビ−またはトリ−環式ラジカル（例えば、１または２個のベンゼンラジカルが、上記の単環式ラジカルとアニーリング（縮合）している）である。複素環式−脂肪族ラジカルＲ１０において、複素環式部分は、上で定義されたものであり、そして脂肪族部分は、好ましくは、特にＣ１−Ｃ２アルキルの様な低級アルキルであり、これは、置換されているか、または好ましくは、非置換である。
【手続補正２】
【補正対象書類名】明細書
【補正対象項目名】００１８
【補正方法】変更
【補正の内容】
【００１８】
式Ｉの化合物の塩形成基は、塩基性または酸性特性を有する基またはラジカルである。少なくとも１個の塩基性基、または少なくとも１個の塩基性ラジカル（例えば、遊離アミノ基、ピラジニルラジカル、またはピリジルラジカル）を有する化合物は、例えば、塩酸、硫酸、またはリン酸の様な無機酸、または適当な有機カルボン酸またはスルホン酸、例えば、トリフルオロ酢酸、酢酸、プロピオン酸、グリコール酸、コハク酸、マレイン酸、フマル酸、ヒドロキシマレイン酸、リンゴ酸、酒石酸、クエン酸、またはシュウ酸の様な脂肪族モノ−またはジ−カルボン酸、またはアルギニンまたはリジンの様なアミノ酸、安息香酸、２−フェノキシ−安息香酸、２−アセトキシ−安息香酸、サリチル酸、４−アミノサリチル酸の様な芳香族カルボン酸、マンデル酸または桂皮酸の様な芳香族−脂肪族カルボン酸、ニコチン酸またはイソニコチン酸の様な複素環式芳香族カルボン酸、メタン−、エタン−、または２−ヒドロキシエタン−スルホン酸のような脂肪族スルホン酸、例えば、ベンゼン−、ｐ−トルエン−、またはナフタレン−２−スルホン酸の様な芳香族スルホン酸との酸付加塩を形成する。いくつかの塩基性基が存在する場合、モノ−またはポリ−酸付加塩が形成される。
【手続補正３】
【補正対象書類名】明細書
【補正対象項目名】００３４
【補正方法】変更
【補正の内容】
【００３４】
好ましくは、本発明は、心血管系でのアンジオテンシンＩＩ誘導性肥大またはアンジオテンシンＩＩ誘導性肥大リモデリングを含む高血圧誘導性およびＡｎｇＩＩ介在性損傷、疾病、および／または腎臓でのアンジオテンシンＩＩ誘導性腎障害および腎臓病、前炎症状態および前酸化状態を伴う内皮機能不全を処置するための医薬の製造のための、ＰＤＧＦ受容体チロシンキナーゼ阻害剤、特に、式ＩのＮ−フェニル−２−ピリミジン−アミン誘導体、またはその医薬的に許容される塩の使用に関する。
【手続補正４】
【補正対象書類名】明細書
【補正対象項目名】００７５
【補正方法】変更
【補正の内容】
【００７５】
本発明の組合せは、高血圧誘導性疾病を阻害し、特に、心血管障害（すなわち、高血圧誘導性心血管肥大または心血管肥大リモデリング）を処置する。さらに、用いられる具体的な組合せに依存して、心血管肥大または心血管肥大リモデリングが異なって減少し得る。本明細書に開示の組合せは、前炎症状態および前酸化状態を伴う内皮機能不全、および高血圧誘導性血管損傷の予防にも適している。本明細書に開示の組合せは、血管肥大または肥大リモデリングの様な高血圧誘導性血管損傷の処置に特に適している。
【手続補正５】
【補正対象書類名】明細書
【補正対象項目名】００８４
【補正方法】変更
【補正の内容】
【００８４】
さらなる利点は、より低用量の本発明の組合せの有効成分が用いられ得ること、例えば、投与量がしばしばより少量でしか必要でないばかりでなく、より低頻度で適用されること、または副作用の発生率を減少するために用いられ得ることである。これは、処置されるべき患者の望みおよび要求と一致する。
【手続補正６】
【補正対象書類名】明細書
【補正対象項目名】００８６
【補正方法】変更
【補正の内容】
【００８６】
適当な臨床試験は、例えば、進行した高血圧の患者でのオープンラベル非無作為化用量漸増試験である。該試験は、特に、本発明の組合せの有効成分の相乗作用を証明する。高血圧介在性疾病への有効な作用は、該試験の結果により直接的に、または当該技術分野の技術者に既知の試験設計の変法により、決定され得る。該試験は、有効成分を用いる単独療法と本発明の組合せの作用を比較するのに適している。好ましくは、組合せパートナー（ａ）は、固定用量で投与され、組合せパートナー（ｂ）の用量は、最大耐容投与量に至るまで、漸増される。試験の好ましい実施態様において、それぞれの患者は、１日用量の組合せパートナー（ａ）を投与される。処置の有効性は、該試験、例えば、６週間毎の心血管系の評価による１８週間または２４週間で決定され得る。
または、プラシーボ対照二重盲検試験が、上記の本発明の組合せの有効性を証明するために用いられ得る。
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
組換え哺乳動物細胞と心筋細胞との間の電気的接続を確立するための方法であって、
心筋細胞を、コネキシンタンパク質を産生するように遺伝的に改変された組換え哺乳動物細胞と接触させる段階であって、該心筋細胞と該組換え細胞との間での電気的な接続の産生を提供するために十分な様式であり、該組換え細胞と該心筋細胞との間の電気的接続が確立される段階を含む、方法。
【請求項２】
組換え細胞が、骨格筋細胞、幹細胞、および心臓細胞からなる群より選択される、請求項1記載の方法。
【請求項３】
組換え細胞が骨格筋細胞である、請求項1記載の方法。
【請求項４】
骨格筋細胞が成体骨格筋細胞である、請求項3記載の方法。
【請求項５】
骨格筋細胞が筋芽細胞である、請求項3記載の方法。
【請求項６】
コネキシンタンパク質がコネキシン43タンパク質である、請求項1記載の方法。
【請求項７】
組換え細胞と心筋細胞との間の電気的接続が確立された後で、該組換え細胞は該心筋細胞と類似する伝導特性を有する、請求項1記載の方法。
【請求項８】
組換え骨格筋細胞と心筋細胞との間の電気的接続を確立する方法であって、
心筋細胞を、コネキシンタンパク質を産生するように遺伝的に改変された組換え骨格筋細胞と接触させる段階であって、該心筋細胞と該組換え骨格筋細胞との間での電気的な接続の産生を提供するために十分な様式であり、該組換え骨格筋細胞と該心筋細胞との間の電気的接続が確立される段階を含む、方法。
【請求項９】
骨格筋細胞が成体骨格筋細胞である、請求項8記載の方法。
【請求項１０】
骨格筋細胞が骨格筋芽細胞である、請求項8記載の方法。
【請求項１１】
組換え細胞と心筋細胞との間の電気的接続が確立された後で、該組換え細胞は該心筋細胞と類似する伝導特性を有する、請求項8記載の方法。
【請求項１２】
組換え骨格筋細胞と心筋細胞との間の電気的接続を確立する方法であって、
心筋細胞を、組換えコネキシン43タンパク質を発現するように遺伝的に改変された組換え骨格筋芽細胞と接触させる段階であって、該心筋細胞と該組換え骨格筋芽細胞との間での電気的な接続の産生を提供するために十分な様式であり、該組換え骨格筋芽細胞と該心筋細胞との間の電気的接続が確立され、その結果、該組換え骨格筋芽細胞は該心筋細胞と類似する伝導特性を有する段階を含む、方法。
【請求項１３】
宿主中の心臓伝導障害の治療に用いる組換え哺乳動物細胞であって、該組換え哺乳動物細胞はコネキシンタンパク質を発現するように遺伝的に改変されており、該組換え哺乳動物細胞の宿主の心臓組織への移植によって、宿主中の心臓伝導障害の治療のための、該組換え哺乳動物細胞と該心臓組織の心筋細胞との間の電気的接続が確立する、組換え哺乳動物細胞。
【請求項１４】
組換え細胞が、骨格筋細胞、幹細胞、および心臓細胞からなる群より選択される、請求項13記載の組換え哺乳動物細胞。
【請求項１５】
組換え細胞が骨格筋細胞である、請求項13記載の組換え哺乳動物細胞。
【請求項１６】
骨格筋細胞が成体骨格筋細胞である、請求項15記載の組換え哺乳動物細胞。
【請求項１７】
骨格筋細胞が筋芽細胞である、請求項15記載の組換え哺乳動物細胞。
【請求項１８】
コネキシンタンパク質がコネキシン43タンパク質である、請求項13記載の組換え哺乳動物細胞。
【請求項１９】
移植が組換え細胞を心臓組織の梗塞領域に移植することを含む、請求項13記載の組換え哺乳動物細胞。
【請求項２０】
組換え細胞が宿主に対して自系である、請求項13記載の組換え哺乳動物細胞。
【請求項２１】
宿主中の心臓伝導障害の治療に用いる薬学的組成物であって、該薬学的組成物は成分としてコネキシンタンパク質を発現するように遺伝的に改変されている組換え哺乳動物細胞を含み、該薬学的組成物の宿主の心臓組織への導入後に、該薬学的組成物が組換え哺乳動物細胞と該心臓組織の心筋細胞との間の電気的接続を確立するのに十分な量で提供され、該電気的接続により宿主中の心臓伝導障害が治療される、薬学的組成物。
【請求項２２】
組換え細胞が、骨格筋細胞、幹細胞、および心臓細胞からなる群より選択される、請求項21記載の薬学的組成物。
【請求項２３】
組換え細胞が骨格筋細胞である、請求項22記載の薬学的組成物。
【請求項２４】
骨格筋細胞が成体骨格筋細胞である、請求項23記載の薬学的組成物。
【請求項２５】
骨格筋細胞が筋芽細胞である、請求項22記載の薬学的組成物。
【請求項２６】
コネキシンタンパク質がコネキシン43タンパク質である、請求項21記載の薬学的組成物。
【請求項２７】
移植が組換え細胞を心臓組織の梗塞領域に移植することを含む、請求項21記載の薬学的組成物。
【請求項２８】
組換え細胞が宿主に対して自系である、請求項21記載の薬学的組成物。
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
少なくとも一部が電界（Ｅ）または磁界によって光学的変化を遂げる材料（Ｍ）から成るセキュリティー素子（２、３）を備えたセキュリティー・ドキュメント（１）であって、検査のために外部電界または磁界を受けると前記材料（Ｍ）に光学的変化をもたらすことができることを特徴とするドキュメント。
【請求項２】
前記光学的変化材料（Ｍ）が、電界（Ｅ）または磁界によって位置および/または配列が変化する複数の粒子（８、９）を含んでいることを特徴とする請求項１記載のドキュメント。
【請求項３】
前記セキュリティー素子（３）が情報（３）を含み、該情報（３）の少なくとも一部が前記光学的変化材料（Ｍ）から成っていることを特徴とする請求項１または２記載のドキュメント。
【請求項４】
前記セキュリティー素子（２）が、少なくとも一部が光学的変化材料（Ｍ）から成るセキュリティー層（２）を備えていることを特徴とする請求項１〜３いずれか１項記載のドキュメント。
【請求項５】
前記セキュリティー層が構造体を有していることを特徴とする請求項４記載のドキュメント。
【請求項６】
特定の観察方向から見た前記セキュリティー層（２）および/または前記光学的変化情報（３）の色が、電界（Ｅ）または磁界によって変化することを特徴とする請求項３〜５いずれか１項記載のドキュメント。
【請求項７】
前記セキュリティー層（２）および/または前記光学的変化情報（３）が、電界（Ｅ）に応じて透明または不透明に変化することを特徴とする請求項３〜６いずれか１項記載のドキュメント。
【請求項８】
保護すべき情報が前記セキュリティー層に配されていることを特徴とする請求項４〜７いずれか１項記載のドキュメント。
【請求項９】
前記セキュリティー層（２）によって情報（１０）が覆われていることを特徴とする請求項４〜８いずれか１項記載のドキュメント。
【請求項１０】
前記材料が、光が照射されることにより、電界によって光学的変化を遂げることができる状態になるよう構成されていることを特徴とする請求項１〜９いずれか１項記載のドキュメント。
【請求項１１】
前記光学的変化材料の粒子が、光が照射されると電界を発生する物質に埋め込まれていることを特徴とする請求項２〜１０いずれか１項記載のドキュメント。
【請求項１２】
光が照射されると電界を発生する層を備えていることを特徴とする請求項１〜１１いずれか１項記載のドキュメント。
【請求項１３】
前記光学的変化材料が、有機媒質および/または水に溶けることを特徴とする請求項１〜１２いずれか１項記載のドキュメント。
【請求項１４】
セキュリティー素子（２、３）を備えたセキュリティー・ドキュメント（１）を製造する方法であって、電界（Ｅ）または磁界によって位置および/または配列が変化する複数の粒子（８、９）をマイクロカプセル（７）に封入し、バインダー（６）に混入することによって製造される、電界（Ｅ）または磁界によって光学的変化を遂げる材料（Ｍ）を用いて前記セキュリティー素子（２、３）を製造する方法において、前記光学的変化を遂げる材料（Ｍ）が、前記マイクロカプセル（７）を膨張剤によって膨張させ前記粒子（８、９）を内部に移動可能に支持することにより活性化されるものであり、該材料（Ｍ）を非活性状態で前記セキュリティー・ドキュメント（１）に配することを特徴とする方法。
【請求項１５】
前記光学的変化材料（Ｍ）が、前記粒子（８、９）を顔料としてインクまたはトナーに混入することによって製造されることを特徴とする請求項１４記載の方法。
【請求項１６】
前記光学的変化材料（Ｍ）を用いて前記セキュリティー・ドキュメント（１）に配される前記セキュリティー素子（３）が、情報（３）であることを特徴とする請求項１４または１５記載の方法。
【請求項１７】
前記光学的変化材料（Ｍ）を用いて前記セキュリティー・ドキュメント（１）に配される前記セキュリティー素子（２）が、セキュリティー層（２）であることを特徴とする請求項１４〜１６いずれか１項記載の方法。
【請求項１８】
活性化されていない光学的変化材料を用いて前記セキュリティー層および/または情報を前記セキュリティー・ドキュメントに形成し、該ドキュメントを膨張剤で処理し前記光学的変化材料を活性化することを特徴とする請求項１４〜１７いずれか１項記載の方法。
【請求項１９】
活性化されていない光学的変化材料および該材料を活性化するための膨張剤を収容しているマイクロカプセルを含む材料を用いて前記セキュリティー層および/または情報を前記セキュリティー・ドキュメントに形成し、前記膨張剤を収容しているマイクロカプセルを破壊することにより、前記ドキュメント上の前記光学的変化材料を活性化することを特徴とする請求項１４〜１７いずれか１項記載の方法。
【請求項２０】
請求項１〜１３いずれか１項記載のセキュリティー・ドキュメントを検査する検査方法であって、検査のために前記セキュリティー・ドキュメント（１）を外部電界（Ｅ）または磁界に晒すことを特徴とする方法。
【請求項２１】
前記電界または磁界が構造化されていることを特徴とする請求項２０記載の方法。
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
リグノセルロース材料の化学処理方法であって、炭化水素質鎖を含む化学薬剤による含浸に該材料を付し、しかも該薬剤は酢酸／安息香酸の混合無水物を除く混合無水物から選ばれ、該薬剤は該材料への複数個の炭化水素質鎖の共有結合グラフトを与えるのに適していることを特徴とする方法。
【請求項２】
リグノセルロース材料が、少なくとも１つの木材片である、請求項１に記載の方法。
【請求項３】
グラフトが、有機無水物から選ばれた化学薬剤を用いてのリグノセルロース材料のエステル化方法により行われることを特徴とする、請求項１又は２に記載の方法。
【請求項４】
処理が、周囲温度と１５０℃の間の温度にて行われることを特徴とする、請求項１から３のいずれか一項に記載の方法。
【請求項５】
処理が、１００と１４０℃の間の温度にて行われることを特徴とする、請求項１から３のいずれか一項に記載の方法。
【請求項６】
混合無水物が、第１炭化水素質鎖Ｒ及び第２炭化水素質鎖Ｒ1を含むことを特徴とする、請求項１から５のいずれか一項に記載の方法。
【請求項７】
ＲがＣ2〜Ｃ4カルボン酸を表しそしてＲ1がＣ6〜Ｃ24脂肪酸であり、しかもこれらの酸は飽和又は不飽和であることを特徴とする、請求項６に記載の方法。
【請求項８】
Ｒ1がＣ2〜Ｃ4カルボン酸を表しそしてＲがＣ6〜Ｃ24脂肪酸であり、しかもこれらの酸は飽和又は不飽和であることを特徴とする、請求項６に記載の方法。
【請求項９】
混合無水物が、酢酸／オクタン酸の混合無水物であることを特徴とする、請求項１から８のいずれか一項に記載の方法。
【請求項１０】
含浸が、塩基触媒の存在下で行われることを特徴とする、請求項１から９のいずれか一項に記載の方法。
【請求項１１】
含浸が、中性触媒の存在下で行われることを特徴とする、請求項１から９のいずれか一項に記載の方法。
【請求項１２】
含浸が、弱酸触媒の存在下で行われることを特徴とする、請求項１から９のいずれか一項に記載の方法。
【請求項１３】
含浸が、触媒の存在下で行われることを特徴とする、請求項１から９のいずれか一項に記載の方法。
【請求項１４】
リグノセルロース材料の含浸が、浸漬法により行われることを特徴とする、請求項１から１３のいずれか一項に記載の方法。
【請求項１５】
リグノセルロース材料の含浸が、吹付け法により行われることを特徴とする、請求項１から１３のいずれか一項に記載の方法。
【請求項１６】
リグノセルロース材料の含浸が、オートクレーブ中で行われることを特徴とする、請求項１から１３のいずれか一項に記載の方法。
【請求項１７】
木材片が、オーク、マツ、モミ、キュルピクサ（curupixa）又はユーカリからなる木材種から選ばれることを特徴とする、請求項２から１６のいずれか一項に記載の方法。
【請求項１８】
請求項１から１７のいずれか一項に記載の方法により得られたところの、リグノセルロース材料。
【請求項１９】
リグノセルロース材料を構成するリグノセルロース繊維が均質でありかつ滑らかにされた外観を示すことを特徴とする請求項１８のリグノセルロース材料。
【請求項２０】
請求項１８又は請求項１９記載のリグノセルロース材料が、繊維を基材とした木材片であって、吸収度が３．５％付近にあることを特徴とする木材片。
【請求項２１】
請求項１８から１９のいずれか一項に記載のリグノセルロース材料が、繊維を基材とした木材片であって、膨潤度が、３．５％付近にあることを特徴とする木材片。
【手続補正２】
【補正対象書類名】明細書
【補正対象項目名】００３０
【補正方法】変更
【補正の内容】
【００３０】
混合無水物は、純粋にて又は混合物として用いられ得、そしてこの場合において、異なるカルボン酸の混合物（この混合物から所望混合無水物の合成が行われる）からの結果に由来し得る。
【手続補正３】
【補正対象書類名】明細書
【補正対象項目名】００５６
【補正方法】変更
【補正の内容】
【００５６】
かくして、図１との比較において及び図２に関して、木材の表面は処理により滑らかにされたように見え、木材のこの表面は均質であるということが観察される。顕微鏡下で目視され得る木材の繊維（リグノセルロース繊維）は、図１におけるものと比較して損なわれていないように見える。一方、生成物は表面を剥ぎ取るというある種の作用を有するように見えるが、しかしまたグラフトによって表面の均質化を可能にする。これはグラフト鎖が繊維を保護することが可能である故であり、しかして顕微鏡下で繊維を見ることを不可能にする。
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
一般式Ｉ：
ＣＯＯＨ−ＣＨＲ−（ＣＨ２）ｍ−ＣＨ＝ＣＨ−（ＣＨ２）ｎ−ＣＨ３      （Ｉ）
（式中、Ｒは、ＯＨ又はＮＨ２であり、ｍ及びｎは独立して、０〜１５の値を有する）の化合物を含む、癌の治療のための薬学的組成物。
【請求項２】
一般式Ｉの化合物が、１２から２８個の炭素原子を有する、請求項１に記載の薬学的組成物。
【請求項３】
一般式Ｉの化合物が、２−ヒドロキシオレイン酸又は２−アミノ−オレイン酸である、請求項１又は２に記載の薬学的組成物。
【請求項４】
一般式Ｉ：
ＣＯＯＨ−ＣＨＲ−（ＣＨ２）ｍ−ＣＨ＝ＣＨ−（ＣＨ２）ｎ−ＣＨ３      （Ｉ）
（式中、Ｒは、分子量が２００Ｄａ以下のどのような基であってもよく、ｍ及びｎは独立して、０〜１５の値を有する）の化合物を含む、パルミトレイン酸を含む脳卒中の治療のための薬学的組成物を除く、高血圧の治療のための薬学的組成物。
【請求項５】
Ｒが、Ｈ、ＯＨ、ＮＨ２又はＣＨ３である、請求項４に記載の薬学的組成物。
【請求項６】
一般式Ｉの化合物が、１２から２８個の炭素原子を有する、請求項４又は５に記載の薬学的組成物。
【請求項７】
一般式Ｉの化合物が、２−ヒドロキシオレイン酸、２−メチル−オレイン酸、バクセン酸、ネルボン酸、オレイン酸、パルミトレイン酸又はアミノオレイン酸である、請求項４から６までのいずれか一項に記載の薬学的組成物。
【請求項８】
一般式Ｉ：
ＣＯＯＨ−ＣＨＲ−（ＣＨ２）ｍ−ＣＨ＝ＣＨ−（ＣＨ２）ｎ−ＣＨ３      （Ｉ）
（式中、Ｒは、分子量が２００Ｄａ以下のどのような基であってもよく、ｍ及びｎは独立して、０〜１５の値を有する）の化合物の誘導体を含む、肥満の治療のための薬学的組成物。
【請求項９】
Ｒが、Ｈ、ＯＨ、ＮＨ２又はＣＨ３である、請求項８に記載の薬学的組成物。
【請求項１０】
一般式Ｉの化合物が、１２から２８個の炭素原子を有する、請求項８又は９に記載の薬学的組成物。
【請求項１１】
一般式Ｉの化合物が、２−ヒドロキシオレイン酸又はアミノオレイン酸である、請求項８から１０までのいずれか一項に記載の薬学的組成物。
【請求項１２】
一般式Ｉ：
ＣＯＯＨ−ＣＨＲ−（ＣＨ２）ｍ−ＣＨ＝ＣＨ−（ＣＨ２）ｎ−ＣＨ３      （Ｉ）
（式中、Ｒは、ＯＨ又はＮＨ２であり、ｍ及びｎは独立して、０〜１５の値を有する）の化合物を含む、Ｇタンパク質及びそれらに結合している受容体の調節又は局在化に関わる、細胞膜の構造の層状−六方晶遷移が原因である疾患の治療のための薬学的組成物。
【請求項１３】
一般式Ｉの化合物が、好ましくは１２から２８個の炭素原子を有する、請求項１２に記載の薬学的組成物。
【請求項１４】
一般式Ｉの化合物が、好ましくは２−ヒドロキシオレイン酸である、請求項１２又は１３に記載の薬学的組成物。
【手続補正書】
【提出日】平成17年9月20日(2005.9.20)
【手続補正１】
【補正対象書類名】特許請求の範囲
【補正対象項目名】請求項４６
【補正方法】変更
【補正の内容】
【請求項４６】
治療上有効量の請求項１記載の化合物および医薬上許容される賦形剤を含む、５−ＨＴ受容体が関与し、５−ＨＴ機能の変調が望まれるそれを必要とする哺乳動物における病気または疾患を治療するための医薬組成物。
【手続補正２】
【補正対象書類名】特許請求の範囲
【補正対象項目名】請求項４７
【補正方法】変更
【補正の内容】
【請求項４７】
治療上有効量の請求項１記載の化合物および医薬上許容される賦形剤を含む、それを必要とする哺乳動物において中枢神経系の病気または疾患を治療するための医薬組成物。
【手続補正３】
【補正対象書類名】特許請求の範囲
【補正対象項目名】請求項４８
【補正方法】変更
【補正の内容】
【請求項４８】
該病気が、不安、鬱病、統合失調症、癲癇、偏頭痛、アルツハイマー病、睡眠障害、肥満、ストレス関連病または禁断症状である請求項４７記載の医薬組成物。
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
結晶格子がゲスト分子の存在によって安定化された式（Ｉ）：
【化１】
2005527497.tif 000001
の化合物を含む結晶性複合体において、前記結晶性複合体が120Kまたは150Kで測定した場合に単位格子サイズが約12.5±1.0Å、15±1.0Åおよび16.2±1.0Åである空間群P212121のものであることを特徴とする複合体。
【請求項２】
ゲスト分子が好ましくは、16〜150の範囲の相対分子量を有する請求項１に記載の複合体。
【請求項３】
ゲスト分子が水素結合受容体として作用することができる部分を有する請求項１または２に記載の複合体。
【請求項４】
ゲスト分子が、シクロペンタノン、シクロヘキサノン、ジメチルスルホキシド、エタノール、プロパン−１−オール、ブタン−１−オール、１，４−ジオキサン、ギ酸エチル、酢酸メチル、水、酢酸、ピリジン、ｔ−ブチルアミンおよびシクロヘキシルアミンからなるリストから選択される請求項１〜３のいずれかに記載の複合体。
【請求項５】
ゲスト分子がアセトンである請求項１に記載の複合体。
【請求項６】
ゲスト分子がメチルエチルケトンである請求項１に記載の複合体。
【請求項７】
ゲスト分子がテトラヒドロフランである請求項１に記載の複合体。
【請求項８】
ゲスト分子がプロパン−２−オールである請求項１に記載の複合体。
【請求項９】
ゲスト分子がジメチルホルムアミドである請求項１に記載の複合体。
【請求項１０】
ゲスト分子がブタン−１−オールである請求項１に記載の複合体。
【請求項１１】
ゲスト分子が酢酸メチルである請求項１に記載の複合体。
【請求項１２】
ゲスト分子が酢酸である請求項１に記載の複合体。
【請求項１３】
ゲスト分子がプロパン−１−オールである請求項１に記載の複合体。
【請求項１４】
ゲスト分子がエタノールである請求項１に記載の複合体。
【請求項１５】
ゲスト分子がギ酸エチルである請求項１に記載の複合体。
【請求項１６】
ゲスト分子が１，４−ジオキサンである請求項１に記載の複合体。
【請求項１７】
ゲスト分子がジメチルスルホキシドである請求項１に記載の複合体。
【請求項１８】
ゲスト分子がＮ−メチル−２−ピロリジノンである請求項１に記載の複合体。
【請求項１９】
ゲスト分子がジメチルアセトアミドである請求項１に記載の複合体。
【請求項２０】
ゲスト分子がシクロペンタノンである請求項１に記載の複合体。
【請求項２１】
ゲスト分子が水である請求項１に記載の複合体。
【請求項２２】
ゲスト分子がシクロヘキサノンである請求項１に記載の複合体。
【請求項２３】
ゲスト分子がピリジンである請求項１に記載の複合体。
【請求項２４】
ゲスト分子がｔ−ブチルアミンである請求項１に記載の複合体。
【請求項２５】
ゲスト分子がシクロヘキシルアミンである請求項１に記載の複合体。
【請求項２６】
ゲスト分子がε−カプロラクタムである請求項１に記載の複合体。
【請求項２７】
式（Ｉ）の化合物とゲスト分子との比が１：2.0〜１：0.3である請求項１〜２６のいずれかに記載の複合体。
【請求項２８】
生理的に許容される希釈剤もしくは担体とともに請求項１〜２７のいずれかに記載の複合体を含む医薬組成物。
【請求項２９】
別の治療活性薬剤との組合せで請求項１〜２７のいずれかに記載の複合体を含む医薬組成物。
【請求項３０】
前記他の治療活性成分が長期作用性β２−アドレナリン受容体作働薬である請求項２９に記載の医薬組成物。
【請求項３１】
請求項１〜２７のいずれかに記載の複合体の製造方法であって、
（ａ）式（Ｉ）の化合物およびゲスト分子を含む溶液から前記複合体を結晶化する段階；あるいは
（ｂ）固体での式（Ｉ）の化合物または請求項１〜２７のいずれかに記載の別の複合体とゲスト分子を含む液体とを接触させ、そこから前記複合体を得る段階；あるいは
（ｃ）固体での式（Ｉ）の化合物または請求項１〜２７のいずれかに記載の別の複合体とゲスト分子を含む蒸気とを接触させる段階
を有する方法。
【請求項３２】
（ａ）等軸な粒子または実質的に等軸な粒子の形態で請求項１〜２７のいずれかに記載の複合体を製造する段階；および
（ｂ）ゲスト分子を除去する段階
を有する方法によって、等軸な粒子または実質的に等軸な粒子の形態で非溶媒和形態での式（Ｉ）の化合物を製造する方法。
【請求項３３】
前記複合体がゲスト分子としてのプロパン−２−オールまたはアセトンとの複合体である請求項３２に記載の方法。
【請求項３４】
炎症および／またはアレルギー状態患者の治療におけるヒトまたは動物用の薬に使用するための請求項１〜２７のいずれかに記載の複合体。
【請求項３５】
炎症および／またはアレルギー状態患者の治療のための医薬の製造における請求項１〜２７のいずれかに記載の複合体の使用。
【請求項３６】
１日１回投与のための請求項３５に記載の使用。
【手続補正書】
【提出日】平成18年1月13日(2006.1.13)
【手続補正１】
【補正対象書類名】特許請求の範囲
【補正対象項目名】全文
【補正方法】変更
【補正の内容】
【特許請求の範囲】
【請求項１】
対象において皮膚を増量させるための化粧剤であって、適切な希釈剤若しくは賦形剤中に有効量の1,4-結合D-グルコースオリゴ糖若しくは多糖を含み、該オリゴ糖若しくは多糖が皮膚において繊維芽細胞を蓄積させコラーゲン産生を引き起こす化粧剤。
【請求項２】
該オリゴ糖若しくは多糖が、サッカロマイセス・セレビジエー由来のD-マンノース多糖（マンナン）；ピキア・ホルスティが産生する細胞外ホスホマンナンであって、該ホスホマンナンの、精製されたD-マンノース高分子量酸抵抗性多糖核；6-O-ホスホ-α-D-マンノース-(1,3)-α-D-マンノース-(1,3)-α-D-マンノース-(1,3)-α-D-マンノース-(1,2)-α-D-マンノース、フェニックス・カナリーヤシ（Phoenix canariensis）種子より単離されたマンナンの酸加水分解によって得られるβ-1,4-D-マンノースオリゴ糖；β-1,4-マンノペンタオース、β-1,4-マンノヘキサオース；β-1,4-マンノヘプタオース、β-1,4-マンノオクタオース、β-1,4-マンノノナオース、β-1,4-マンノデカノース、β-1,4-マンノウンデカノース、β-1,4-マンノドデカノース、アミロペクチン、アミロース、アミロース酸加水分解により得られる1,4-D-グルコースオリゴ糖、マルトペンタオース、マルトヘキサオース、マルトヘプタオース、α-1,4-マルトオクタオース、マルトノナオース、マルトデカノース、マルトウンデカノース；マルトドデカノースおよびその混合物若しくは組み合わせ、その物理的修飾した同族体および化学的修飾物した同族体よりなる群から選択される、請求項１の化粧剤。
【請求項３】
該オリゴ糖若しくは多糖がマルトペンタオースである、請求項１または２の化粧剤。
【請求項４】
該オリゴ糖若しくは多糖がβ-1,4-マンノヘキサオースである、請求項１または２の化粧剤。
【請求項５】
該オリゴ糖若しくは多糖がＯ−リン酸化マンナンである、請求項１または２の化粧剤。
【請求項６】
該オリゴ糖若しくは多糖がアミロースまたはアミロペクチンである、請求項１または２の化粧剤。
【請求項７】
該オリゴ糖若しくは多糖が、ピキア・ホルスティが産生する細胞外ホスホマンナンであって、該ホスホマンナンの、精製されたD-マンノース高分子量酸抵抗性多糖フラグメント（多糖核分画）である、請求項１または２の化粧剤。
【請求項８】
精製されたD-マンノース高分子量酸抵抗性多糖フラグメントが、6-O-ホスホ-α-D-マンノース-(1,3)-α-D-マンノース-(1,3)-α-D-マンノース-(1,3)-α-D-マンノース-(1,2)-α-D-マンノースを含む、請求項７の化粧剤。
【請求項９】
皮膚に直接注射するかまたは局所的に投与される、請求項１から８のいずれかの化粧剤。
【請求項１０】
該オリゴ糖若しくは多糖を重量濃度０．００１％から１００％の範囲で皮膚に輸送する、請求項１から９のいずれかの化粧剤。
【請求項１１】
該オリゴ糖若しくは多糖を重量濃度０．０１％から７０％の範囲で皮膚に輸送する、請求項１０の化粧剤。
【請求項１２】
該オリゴ糖若しくは多糖を重量濃度０．１％から３０％の範囲で皮膚に輸送する、請求項１１の化粧剤。
【請求項１３】
該オリゴ糖若しくは多糖を重量濃度１％から２０％の範囲で皮膚に輸送する、請求項１２の化粧剤。
【請求項１４】
未処置の皮膚と比較して、皺のより少ない、組織がなめらかで堅固かつ豊潤で弾力性のある皮膚を与える、請求項１から１３のいずれかの化粧剤。
【手続補正書】
【提出日】平成17年10月5日(2005.10.5)
【手続補正１】
【補正対象書類名】特許請求の範囲
【補正対象項目名】全文
【補正方法】変更
【補正の内容】
【特許請求の範囲】
【請求項１】
長期作用性β２-アドレナリン受容体作働薬とともに下記式（Ｉ）の化合物：
【化１】
2005527496.tif 000001
またはその溶媒和物を含み、24時間以上の期間にわたって呼吸管の炎症障害の治療において治療上有用な効果を有する、吸入投与用の医薬製剤。
【請求項２】
前記式（Ｉ）の化合物またはその溶媒和物および前記長期作用性β２-アドレナリン受容体作働薬がいずれも粒子状形態で存在する、請求項１に記載の医薬製剤。
【請求項３】
粒子状担体をさらに含む、請求項２に記載の医薬製剤。
【請求項４】
前記担体が乳糖である、請求項３に記載の医薬製剤。
【請求項５】
液化推進剤ガスをさらに含む、請求項１〜４のいずれか１項に記載の医薬製剤。
【請求項６】
前記呼吸管の炎症障害が喘息である、請求項１〜５のいずれか１項に記載の医薬製剤。
【請求項７】
前記長期作用性β２-アドレナリン受容体作働薬が、下記式（Ｍ）の化合物またはその塩もしくは溶媒和物である、請求項１〜６のいずれか１項に記載の医薬製剤。
【化２】
2005527496.tif 000002
［式中、
ｍは２〜８の整数であり；
ｎは３〜11の整数であり；
ただしｍ＋ｎは５〜19であり；
R11は-XSO2NR16R17であり、Xは-(CH2)p-またはC2-6アルケニレンであり；
R16およびR17は独立に、水素、C1-6アルキル、C3-7シクロアルキル、C(O)NR18R19、フェニルおよびフェニル(C1-4アルキル)-から選択されるか；
あるいはR16とR17は、それらが結合している窒素と一体となって、５員、６員または７員の含窒素環を形成しており；R16およびR17はそれぞれ場合によって、ハロ、C1-6アルキル、C1-6ハロアルキル、C1-6アルコキシ、ヒドロキシ置換C1-6アルコキシ、-CO2R18、-SO2NR18R19、-CONR18R19、-NR18C（O）R19または５員、６員もしくは７員の複素環から選択される１個もしくは２個の基によって置換されていてもよく；
R18およびR19は独立に、水素、C1-6アルキル、C3-6シクロアルキル、フェニルおよびフェニル(C1-4アルキル)-から選択され；
ｐは０〜６、好ましくは０〜４の整数であり；
R12およびR13は独立に、水素、C1-6アルキル、C1-6アルコキシ、ハロ、フェニルおよびC1-6ハロアルキルから選択され；
R14およびR15は独立に、水素およびC1-4アルキルから選択され；ただし、R14およびR15における炭素原子の総数は４を超えない。］
【請求項８】
長期作用性β２-アドレナリン受容体作働薬とともに下記式（Ｉ）の化合物：
【化３】
2005527496.tif 000003
またはその溶媒和物を含み、24時間以上の期間にわたって呼吸管の炎症障害の治療において治療上有用な効果を有する医薬製剤を複数用量含み、その用量が吸入による前記製剤の１日１回投与に好適なものである吸入器。
【請求項９】
前記式（Ｉ）の化合物もしくはその溶媒和物および前記長期作用性β２-アドレナリン受容体作働薬がいずれも粒子状形態で存在する、請求項８に記載の吸入器。
【請求項１０】
前記製剤が粒子状担体をさらに含む請求項８または９に記載の吸入器。
【請求項１１】
前記担体が乳糖である、請求項１０に記載の吸入器。
【請求項１２】
前記製剤が液化推進剤ガスをさらに含む、請求項８〜１１のいずれか１項に記載の吸入器。
【請求項１３】
粒子状の下記式（Ｉ）の化合物：
【化４】
2005527496.tif 000004
またはその溶媒和物、粒子状の長期作用性β２-アドレナリン受容体作働薬および担体を含む複数用量の医薬製剤が入った吸入器であって、各医薬が１日１回の吸入による投与から24時間以上の期間にわたって呼吸管の炎症障害の治療において治療上有用な効果を提供するのに適切な量で存在する、上記吸入器。
【請求項１４】
前記呼吸管の炎症障害が喘息である、請求項８〜１３のいずれか１項に記載の吸入器。
【請求項１５】
前記長期作用性β２-アドレナリン受容体作働薬が下記式（Ｍ）の化合物またはその塩もしくは溶媒和物である、請求項８〜１３のいずれか１項に記載の吸入器。
【化５】
2005527496.tif 000005
［式中、
ｍは２〜８の整数であり；
ｎは３〜11の整数であり；
ただしｍ＋ｎは５〜19であり；
R11は-XSO2NR16R17であり、Xは-(CH2)p-またはC2-6アルケニレンであり；
R16およびR17は独立に、水素、C1-6アルキル、C3-7シクロアルキル、C(O)NR18R19、フェニルおよびフェニル(C1-4アルキル)-から選択されるか；
あるいはR16とR17は、それらが結合している窒素と一体となって、５員、６員または７員の含窒素環を形成しており；R16およびR17はそれぞれ場合によって、ハロ、C1-6アルキル、C1-6ハロアルキル、C1-6アルコキシ、ヒドロキシ置換C1-6アルコキシ、-CO2R18、-SO2NR18R19、-CONR18R19、-NR18C(O)R19または５員、６員もしくは７員の複素環から選択される１個もしくは２個の基によって置換されていてもよく；
R18およびR19は独立に、水素、C1-6アルキル、C3-6シクロアルキル、フェニルおよびフェニル(C1-4アルキル)-から選択され；
ｐは０〜６、好ましくは０〜４の整数であり；
R12およびR13は独立に、水素、C1-6アルキル、C1-6アルコキシ、ハロ、フェニルおよびC1-6ハロアルキルから選択され；
R14およびR15は独立に、水素およびC1-4アルキルから選択され；ただし、R14およびR15における炭素原子の総数は４を超えない。］
【請求項１６】
１日１回治療を行うための炎症状態および／またはアレルギー状態の患者の治療でのヒトまたは動物用の医薬において使用するための、請求項１〜７のいずれか１項に記載の製剤の使用。
【請求項１７】
１日１回治療を行うための炎症状態および／またはアレルギー状態の患者治療用の医薬製造における請求項１〜７のいずれか１項に記載の製剤の使用。
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
支持手段（８１、８２、８３、８４）上に位置決めされたユニットロード（３０）の上に、基本的にＬ字形に近似した、角度のついた断面形状を有する、載荷レッジ（２０）を適用するためのシステム（１０、１００、１１０）であって、適用機械（１０）を具備しており、
該適用機械（１０）が、ユニットロード（３０）を支持手段（８１、８２、８３、８４）から垂直方向に分離するための分離手段と、前記支持手段から分離されるときに少なくとも１つの載荷レッジ（２０）をユニットロード（３０）の少なくとも２つの対偶する下縁に適用するための適用手段（５０、５１、５２、１３０、１４０）とを、有していて、
載荷レッジ（２０）が２つあるいはそれ以上積み重ねて配置されていて、
前記分離手段が、積み重ねの端部の載荷レッジ（２０）を載荷レッジ（２０）の積み重ねから分離するために各積み重ねの端部の載荷レッジ（２０）とその次の載荷レッジ（２０）の間に進入するようにされ、かつ、
前記適用手段が、積み重ねの端部の載荷レッジ（２０）が分離される時に、その他の載荷レッジ（２０）を保持する手段とされている、
ことを特徴とするシステム。
【請求項２】
前記分離手段、及び、前記保持する手段が、移動可能なフレーム（５２）内で互いに対向している突起（５６，５７）であって、
分離のための突起（５６）が、保持のための突起（５７）よりも長くされ、保持のための突起（５７）よりも積み重ねに近い高い位置に配置されていて、
分離のための突起（５６）が、分離される載荷レッジ（２０）の方を向いた傾斜した部分を有している、
ことを特徴とする請求項１に記載のシステム（１０，１００，１１０）。
【請求項３】
各積み重ねの端部にある載荷レッジ（２０）の分離をサポートするための引き離し装置（１４０）が配設されていて、
引き離し装置（１４０）は積み重ねから分離される載荷レッジ（２０）の垂直なフランジの上に作用する２つの部材（１４１）を有し、
引き離し装置（１４０）が空圧、油圧、または電気駆動の機構である、
ことを特徴とする請求項１または２に記載のシステム（１０、１００、１１０）。
【請求項４】
載荷レッジ（２０）の各積み重ねがレッジフィーダ（５０）内に受容され、
レッジフィーダ（５０）は基本的にＬ字形を成し、垂直フレーム部分（５１’）と、水平フレーム部分（５１”）と、これら２つのフレームの下方に配置される支持フレーム（５２）とを有し、モジュール形状を有している、ことを特徴とする請求項１から３のいずれか１項に記載のシステム（１０、１００、１１０）。
【請求項５】
各レッジフィーダ（５０）が垂直位置から５°〜４５°傾斜していることを特徴とする請求項４に記載のシステム（１０、１００、１１０）。
【請求項６】
各レッジフィーダ（５０）が垂直位置から５°〜２５°傾斜していることを特徴とする請求項５に記載のシステム（１０、１００、１１０）。
【請求項７】
各レッジフィーダ（５０）がレッジフィーダ支持体（１３０）上に受容され、レッジフィーダ支持体（１３０）は、レッジフィーダ支持体（１３０）がその下方の適用位置に解放されるときに各載荷レッジ（２０）を上方の格納位置から移動するための傾斜部分（１３３）を備える、ことを特徴とする請求項５または６に記載のシステム（１０、１００、１１０）。
【請求項８】
分離された載荷レッジ（２０）がアーム（１５０）の形状の軸動可能な装置上に受容されることを特徴とする請求項１に記載のシステム（１０、１００、１１０）。
【請求項９】
各分離された載荷レッジ（２０）が水平方向にのみ移動可能なアームの上に落下することを特徴とする請求項１に記載のシステム（１０、１００、１１０）。
【請求項１０】
適用機械（１０）が積載コンベヤ（１００）と送りコンベヤ（１１０）との間に配置されている、ことを特徴とする請求項１に記載のシステム（１０、１００、１１０）。
【請求項１１】
ユニットロード（３０）を支持手段（８１、８２、８３、８４）から分離するための手段が、垂直移動可能な分離フレーム（６０）である、請求項１に記載のシステム（１０、１００、１１０）。
【請求項１２】
支持手段（８１、８２、８３、８４）が固定された支持体である、ことを特徴とする請求項１に記載のシステム（１０、１００、１１０）。
【請求項１３】
支持手段（８１、８２、８３、８４）がコンベヤである、ことを特徴とする請求項１に記載のシステム（１０、１００、１１０）。
【請求項１４】
垂直移動可能な分離フレーム（６０）が、縁に沿って配置された平坦なバーから形成され、及び、又は、垂直移動可能な分離フレーム（６０）が、上から見た場合に略Ｈ字形の少なくとも１つの部分（６１、６２）を備える、ことを特徴とする請求項１１に記載のシステム（１０、１００、１１０）。
【請求項１５】
請求項１に記載のシステム（１０、１００、１１０）で使用される方法において、
ユニットロード（３０）を適用機械（１０）の第１の適用位置に配置するステップと、
前記ユニットロードが第２の適用位置に位置決めされるように、ユニットロード（３０）を支持手段（８１、８２、８３、８４）から垂直方向に分離するステップと、
長突出部（５６）を分離すべき載荷レッジ（２０）とその他の載荷レッジとの間に挿入して少なくとも２つの載荷レッジ（２０）を載荷レッジ（２０）の積み重ねから分離するステップと、
少なくとも２つの載荷レッジ（２０）をユニットロード（３０）の少なくとも２つの反対側の下縁に適用するステップと、
ユニットロードを垂直方向に移動して、少なくとも２つの載荷レッジ（２０）と接触させるステップと、
最後に、ユニットロード（３０）を前記載荷レッジと共に適用機械（１０）から取り外すステップと、を含んでなる、
ことを特徴とする方法。
【請求項１６】
積載コンベヤ（１００）によって各ユニットロード（３０）を適用機械（１０）内に運搬する先行するステップと、
送りコンベヤ（１１０）によって各ユニットロード（３０）を載荷レッジ（２０）と共に前記適用機械から運搬する後続のステップと、さらに含む、
ことを特徴とする、請求項１５に記載の方法。
【手続補正書】
【提出日】平成18年3月30日(2006.3.30)
【手続補正１】
【補正対象書類名】明細書
【補正対象項目名】０００２
【補正方法】変更
【補正の内容】
【０００２】
本発明はさらに、請求項１３の前文に記載の方法に関する。
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
調製顔料の全重量に対してそれぞれ、５から６０重量％の少なくとも１種の顔料、４０から９５重量％のパラフィンオイルおよび／または植物オイル、０から１０重量％の分散剤または分散剤混合物、ならびに０から５重量％の通常の添加剤を含む調製顔料を製造すること、パラフィンオイルおよび／または植物オイルで場合によっては前記調製顔料を希釈すること、および前記調製顔料または希釈調製顔料を着色しようとする肥料に付けることを含む肥料の着色方法。
【請求項２】
前記調製顔料が、５から４０重量％の少なくとも１種の有機顔料、６０から９５重量％のパラフィンオイルおよび／または植物オイルを含む請求項１に記載の方法。
【請求項３】
前記調製顔料が、１０から６０重量％の少なくとも１種の無機顔料、４０から９０重量％のパラフィンオイルおよび／または植物オイルを含む請求項１に記載の方法。
【請求項４】
前記顔料が、モノアゾ顔料、ジアゾ顔料、ジアゾ縮合顔料、アゾレーキ顔料、トリフェニルメタン顔料、チオインジゴ顔料、チアジン−インジゴ顔料、ペリレン顔料、ペリノン顔料、アンサンスロン顔料、ジケトピロロピロール顔料、ジオキサジン顔料、キナクリドン顔料、フタロシアニン顔料、イソインドリノン顔料、イソインドリン顔料、ベンズイミダゾロン顔料、ナフトール顔料、キノフタロン顔料、ファーネスブラックおよびガスブラックからなる群からの有機顔料である請求項１から３の少なくとも一項に記載の方法。
【請求項５】
前記顔料が、白色顔料、酸化鉄顔料、紺青顔料、酸化クロム顔料、ウルトラマリン顔料、混合相顔料、硫化物／セレン化物・硫化物顔料、炭酸塩顔料、クロム酸塩／クロム酸塩−モリブデン酸塩顔料、錯塩顔料、ケイ酸塩顔料、光輝顔料および発光顔料からなる群からの無機顔料である請求項１から３の少なくとも一項に記載の方法。
【請求項６】
前記肥料が、窒素、リン酸塩、カリウム、カルシウムおよびマグネシウム肥料からなる群からの合成無機肥料である請求項１から５の少なくとも一項に記載の方法。
【請求項７】
懸濁剤、凝結防止剤、湿潤剤、保存剤、粘度安定化剤および／またはレオロジーに影響を与える添加剤が通常の添加剤として使用される請求項１から６の少なくとも一項に記載の方法。
【請求項８】
粉末もしくは顆粒材料の形態の前記顔料を、前記パラフィンオイルおよび／または植物オイルと、場合によっては前記分散剤および／または通常の添加剤の存在下に分散させる請求項１から７の少なくとも一項に記載の方法。
【請求項９】
前記調製顔料または希釈調製顔料が、着色される肥料の重量に対して、０．００００１から０．１０重量％の量で前記肥料に付けられる請求項１から８の少なくとも一項に記載の方法。
【請求項１０】
前記調製顔料または希釈調製顔料が、前記肥料の表面にスプレされる請求項９に記載の方法。